(57)【要約】【課題】受信装置側のミュート映像の内容を送信装置側で制御する。【解決手段】送信装置１は、再生映像信号の種類の変化を検出する検出部１３と、再生映像信号を送信映像信号として送信する送信部であって、検出部１３で再生映像信号の種類の変化が検出された場合に、再生映像信号の代わりに、所定のミュート映像に対応した再生映像ミュート信号を送信映像信号として送信する映像ミュートを行う送信部２０と、送信部２０で再生映像ミュート信号が送信された場合に、映像ミュートの開始指示を送信する映像ミュート指示部２２２と、所定のミュート映像に対応した表示映像ミュート信号を生成するための映像ミュート情報を送信する映像ミュート情報提供部２２３と、を備える。【選択図】図１
2013081062.tif 000002
【特許請求の範囲】
【請求項１】
再生映像信号の種類の変化を検出する検出手段と、
前記再生映像信号を送信映像信号として送信する送信手段であって、前記検出手段で前記再生映像信号の種類の変化が検出された場合に、前記再生映像信号の代わりに、所定のミュート映像に対応した再生映像ミュート信号を前記送信映像信号として送信する映像ミュートを行う送信手段と、
前記送信手段で前記再生映像ミュート信号が送信された場合に、映像ミュートの開始指示を送信する映像ミュート指示手段と、
所定のミュート映像に対応した表示映像ミュート信号を生成するための映像ミュート情報を送信する映像ミュート情報送信手段と、
を備えた送信装置、および
前記送信手段から送信された送信映像信号を受信する受信手段と、
前記映像ミュート情報送信手段から送信された前記映像ミュート情報を受信する映像ミュート情報受信手段と、
前記映像ミュート情報受信手段で受信された前記映像ミュート情報に応じて、前記表示映像ミュート信号を生成する表示映像ミュート信号生成手段と、
前記受信手段で受信された前記送信映像信号を表示部に出力する出力手段であって、前記映像ミュート指示手段から送信された前記映像ミュートの開始指示を受信した場合に、前記送信映像信号の代わりに、前記表示映像ミュート信号生成手段で生成された表示映像ミュート信号を前記表示部に出力する映像ミュートを開始する出力手段と、
を備えた受信装置
を含むことを特徴とする伝送システム。
【請求項２】
前記映像ミュート指示手段は、前記映像ミュートの開始指示を送る際に、前記受信装置に対し、前記映像ミュートの開始までの時間を示す開始時間情報を通知し、
前記受信装置の出力手段は、前記通知された開始時間情報に基づき前記映像ミュートを開始する、
ことを特徴とする請求項１に記載の伝送システム。
【請求項３】
前記映像ミュート指示手段は、前記受信装置に対して、さらに映像ミュートの解除指示を送信し、
前記受信装置の出力手段は、前記送信装置からの前記映像ミュートの解除指示に応じて前記映像ミュートを解除する、
ことを特徴とする請求項１または２に記載の伝送システム。
【請求項４】
前記映像ミュート指示手段は、前記映像ミュートの解除指示を送る際に、前記受信装置に対し、前記映像ミュートの解除までの時間を示す解除時間情報を通知し、
前記受信装置の出力手段は、前記通知された解除時間情報に基づき前記映像ミュートを解除する、
ことを特徴とする請求項３に記載の伝送システム。
【請求項５】
前記表示映像ミュート信号は、前記再生映像ミュート信号と同じミュート映像を表すことを特徴とする請求項１から４のいずれか１項に記載の伝送システム。
【請求項６】
前記表示映像ミュート信号は、画面全体が所定の色で塗り潰された静止画像を表し、
前記映像ミュート情報は、前記所定の色を示す色情報を含む、
ことを特徴とする請求項１から５のいずれか１項に記載の伝送システム。
【請求項７】
前記再生映像信号の種類の変化は、前記再生映像信号の映像フォーマットの変化であることを特徴とする請求項１から６のいずれか１項に記載の伝送システム。
【請求項８】
前記映像ミュート情報送信手段は、前記検出手段により映像フォーマットの変化が検出された場合、変化後の映像フォーマットの映像信号を処理するための映像フォーマット情報を前記受信装置に提供し、
前記受信装置の出力手段は、前記送信装置からの映像フォーマット情報に基づき、変化後の映像フォーマットの送信映像信号の処理を行う、
ことを特徴とする請求項７に記載の伝送システム。
【請求項９】
前記再生映像信号の種類の変化は、前記再生映像信号の暗号化の有無の変化であることを特徴とする請求項１から８のいずれか１項に記載の伝送システム。
【請求項１０】
前記送信装置の送信手段は、前記映像ミュートを開始してから所定期間経過後に、前記再生映像ミュート信号の種類を変化前の種類から変化後の種類に切り替え、当該切り替えから所定期間経過後に、前記映像ミュートを解除する、
ことを特徴とする請求項１から９のいずれか１項に記載の伝送システム。
【請求項１１】
前記受信装置の出力手段は、前記送信装置における前記切り替えの前に、前記映像ミュートを開始することを特徴とする請求項１０に記載の伝送システム。
【請求項１２】
前記受信装置の出力手段は、前記送信装置における前記切り替えの後、前記送信装置における前記映像ミュートの解除の前に、前記映像ミュートを解除することを特徴とする請求項１０または１１に記載の伝送システム。
【請求項１３】
前記送信装置は、変化後の種類の再生映像信号が暗号化を必要とする場合、前記映像ミュート中に、前記送信映像信号の暗号化通信を開始した後、前記暗号化通信が安定したか否かを判定する暗号化通信制御手段をさらに備え、
前記映像ミュート指示手段は、前記暗号化通信が安定したと判定された場合に、前記受信装置に対して映像ミュートの解除指示を送る、
ことを特徴とする請求項３から１２のいずれか１項に記載の伝送システム。
【請求項１４】
前記送信装置は、
当該送信装置に接続された受信装置の識別情報を取得する識別情報取得手段と、
受信装置の識別情報と暗号安定待ち時間とが対応付けられた対応情報を記憶する暗号安定待ち時間記憶手段と、
をさらに備え、
前記暗号化通信制御手段は、前記暗号化通信を開始した後、前記対応情報に基づき、前記取得された識別情報に対応する暗号安定待ち時間だけ待った後に、前記暗号化通信が安定したか否かを判定し、当該判定の結果に基づき前記対応情報を更新する、
ことを特徴とする請求項１３に記載の伝送システム。
【請求項１５】
再生映像信号の種類の変化を検出する検出手段と、
前記再生映像信号を送信映像信号として送信する送信手段であって、前記検出手段で前記再生映像信号の種類の変化が検出された場合に、前記再生映像信号の代わりに、所定のミュート映像に対応した再生映像ミュート信号を前記送信映像信号として送信する映像ミュートを行う送信手段と、
前記送信手段で前記再生映像ミュート信号が送信された場合に、映像ミュートの開始指示を送信する映像ミュート指示手段と、
所定のミュート映像に対応した表示映像ミュート信号を生成するための映像ミュート情報を送信する映像ミュート情報送信手段と、
を備えることを特徴とする送信装置。
【請求項１６】
再生映像信号を送信映像信号として送信し、前記再生映像信号の種類が変化する場合に、前記再生映像信号の代わりに、所定のミュート映像に対応した再生映像ミュート信号を送信する映像ミュートを行う送信装置から、前記送信映像信号を受信する受信手段と、
前記送信装置から、所定のミュート映像に対応した表示映像ミュート信号を生成するための映像ミュート情報を受信する映像ミュート情報受信手段と、
前記映像ミュート情報受信手段で受信された前記映像ミュート情報に応じて、前記表示映像ミュート信号を生成する表示映像ミュート信号生成手段と、
前記受信手段で受信された前記送信映像信号を表示部に出力する出力手段であって、前記送信装置における映像ミュートの開始の際に前記送信装置から送信される映像ミュートの開始指示を受信した場合に、前記送信映像信号の代わりに、前記表示映像ミュート信号生成手段で生成された表示映像ミュート信号を前記表示部に出力する映像ミュートを開始する出力手段と、
を備えることを特徴とする受信装置。
【請求項１７】
再生映像信号を送信映像信号として受信装置に送信し、前記再生映像信号の種類が変化する場合に、前記再生映像信号の代わりに、所定のミュート映像に対応した再生映像ミュート信号を前記送信映像信号として送信する映像ミュートを行う送信装置の制御情報送信装置であって、
前記映像ミュートの開始の際に、前記受信装置に対して映像ミュートの開始指示を送る映像ミュート指示手段と、
所定のミュート映像に対応した表示映像ミュート信号を生成するための映像ミュート情報を前記受信装置に送る映像ミュート情報提供手段と、
を備えることを特徴とする制御情報送信装置。
【請求項１８】
再生映像信号の種類の変化を検出するステップと、
前記再生映像信号を送信映像信号として送信するステップと、
前記再生映像信号の種類の変化が検出された場合に、前記再生映像信号の代わりに、所定のミュート映像に対応した再生映像ミュート信号を前記送信映像信号として送信する映像ミュートを行うステップと、
前記再生映像ミュート信号が送信された場合に、映像ミュートの開始指示を送信するステップと、
所定のミュート映像に対応した表示映像ミュート信号を生成するための映像ミュート情報を送信するステップと、
を有する送信方法と、
前記送信映像信号を受信するステップと、
前記映像ミュート情報を受信するステップと、
前記映像ミュート情報に応じて、前記表示映像ミュート信号を生成するステップと、
前記送信映像信号を表示部に出力するステップと、
前記映像ミュートの開始指示を受信した場合に、前記送信映像信号の代わりに、前記表示映像ミュート信号を前記表示部に出力する映像ミュートを開始するステップと、
を有する受信方法と、
を含むことを特徴とする伝送方法。
【請求項１９】
再生映像信号の種類の変化を検出するステップと、
前記再生映像信号を送信映像信号として送信するステップと、
前記再生映像信号の種類の変化が検出された場合に、前記再生映像信号の代わりに、所定のミュート映像に対応した再生映像ミュート信号を前記送信映像信号として送信する映像ミュートを行うステップと、
前記再生映像ミュート信号が送信された場合に、映像ミュートの開始指示を送信するステップと、
所定のミュート映像に対応した表示映像ミュート信号を生成するための映像ミュート情報を送信するステップと、
を有することを特徴とする送信方法。
【請求項２０】
再生映像信号を送信映像信号として送信し、前記再生映像信号の種類が変化する場合に、前記再生映像信号の代わりに、所定のミュート映像に対応した再生映像ミュート信号を送信する映像ミュートを行う送信装置から、前記送信映像信号を受信するステップと、
前記送信装置から、所定のミュート映像に対応した表示映像ミュート信号を生成するための映像ミュート情報を受信するステップと、
前記映像ミュート情報に応じて、表示映像ミュート信号を生成するステップと、
前記送信映像信号を表示部に出力するステップと、
前記送信装置における映像ミュートの開始の際に前記送信装置から送信される映像ミュートの開始指示を受信した場合に、前記送信映像信号の代わりに、前記表示映像ミュート信号を前記表示部に出力する映像ミュートを開始するステップと、
を有することを特徴とする受信方法。
【請求項２１】
再生映像信号を送信映像信号として受信装置に送信し、前記再生映像信号の種類が変化する場合に、前記再生映像信号の代わりに、所定のミュート映像に対応した再生映像ミュート信号を前記送信映像信号として送信する映像ミュートを行う送信装置の制御情報送信方法であって、
前記映像ミュートの開始の際に、前記受信装置に対して映像ミュートの開始指示を送るステップと、
所定のミュート映像に対応した表示映像ミュート信号を生成するための映像ミュート情報を前記受信装置に送るステップと、
を有することを特徴とする制御情報送信方法。
【発明の詳細な説明】
【技術分野】
【０００１】
本発明は、伝送システム、送信装置、受信装置、制御情報送信装置、伝送方法、送信方法、受信方法、および制御情報送信方法に関する。
【背景技術】
【０００２】
近年、放送のデジタル化やＤＶＤ（Ｄｉｇｉｔａｌ  Ｖｅｒｓａｔｉｌｅ  Ｄｉｓｋ）やＢＤ（Ｂｌｕ−ｒａｙ）のようなデジタル方式で符号化されたパッケージソフトの浸透により、デジタル化されたソース信号を扱う映像音声再生装置や映像音声表示装置が一般的となり、それらの装置の多くがデジタル映像音声接続インターフェースを持つようになった。このデジタル映像音声接続インターフェースにおいて、現在主流となっているのは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）というデジタル映像音声接続インターフェースである。
【０００３】
一方、著作権保護の観点から、技術的に著作権保護機構が破られやすいアナログ方式の映像音声出力をなくして、著作権保護のコントロールを比較的容易に行うことが可能で、強力な暗号化などの技術を用いることが出来るデジタル方式の映像音声出力に限定する動きもある。ＨＤＭＩにはＨＤＣＰ（Ｈｉｇｈ−Ｂａｎｄｗｉｄｔｈ  Ｄｉｇｉｔａｌ  Ｃｏｎｔｅｎｔ  Ｐｒｏｔｅｃｔｉｏｎ）という著作権保護機構が採用されており、デジタル放送やパッケージソフトなどの著作権保護がかかっている信号に対しては、このＨＤＣＰによる暗号化を施して伝送を行っている。
【０００４】
以上のような状況から、今後もＨＤＭＩに代表される著作権保護機構付のデジタル映像音声接続インターフェースを持つ映像音声再生装置や映像音声表示装置に対する需要は高いと考えられる。
【０００５】
このような映像音声再生装置と映像音声表示装置とがＨＤＭＩで接続される構成では、映像音声再生装置から出力される映像信号のフォーマットに変更があった場合、映像信号のフォーマットが切り替わるときに、映像音声表示装置で表示される映像に乱れやちらつきが生じてしまう。
【０００６】
特許文献１には、映像信号の種類の切り替え時に、送信装置が受信装置に対して所定の通知を行い、受信装置が送信装置からの通知に応じてブルーバックなどのミュート映像を出画することで、映像の乱れやちらつきを防止する技術が開示されている。
【先行技術文献】
【特許文献】
【０００７】
【特許文献１】特開２００７−１８０６２４号公報
【発明の概要】
【発明が解決しようとする課題】
【０００８】
しかしながら、特許文献１に開示された技術では、送信装置は、受信装置側で出力されるミュート映像の色等の内容を制御することができない。
【０００９】
本発明は、受信装置側のミュート映像の内容を送信装置側で制御することができる伝送システムおよび伝送方法、ならびにこれらに用いられる送信装置、受信装置、制御情報送信装置、送信方法、受信方法、および制御情報送信方法を提供することを目的とする。
【課題を解決するための手段】
【００１０】
本発明に係る伝送システムは、
再生映像信号の種類の変化を検出する検出手段と、
前記再生映像信号を送信映像信号として送信する送信手段であって、前記検出手段で前記再生映像信号の種類の変化が検出された場合に、前記再生映像信号の代わりに、所定のミュート映像に対応した再生映像ミュート信号を前記送信映像信号として送信する映像ミュートを行う送信手段と、
前記送信手段で前記再生映像ミュート信号が送信された場合に、映像ミュートの開始指示を送信する映像ミュート指示手段と、
所定のミュート映像に対応した表示映像ミュート信号を生成するための映像ミュート情報を送信する映像ミュート情報送信手段と、
を備えた送信装置、および
前記送信手段から送信された送信映像信号を受信する受信手段と、
前記映像ミュート情報送信手段から送信された前記映像ミュート情報を受信する映像ミュート情報受信手段と、
前記映像ミュート情報受信手段で受信された前記映像ミュート情報に応じて、前記表示映像ミュート信号を生成する表示映像ミュート信号生成手段と、
前記受信手段で受信された前記送信映像信号を表示部に出力する出力手段であって、前記映像ミュート指示手段から送信された前記映像ミュートの開始指示を受信した場合に、前記送信映像信号の代わりに、前記表示映像ミュート信号生成手段で生成された表示映像ミュート信号を前記表示部に出力する映像ミュートを開始する出力手段と、
を備えた受信装置
を含むことを特徴とする。
【００１１】
本発明に係る送信装置は、
再生映像信号の種類の変化を検出する検出手段と、
前記再生映像信号を送信映像信号として送信する送信手段であって、前記検出手段で前記再生映像信号の種類の変化が検出された場合に、前記再生映像信号の代わりに、所定のミュート映像に対応した再生映像ミュート信号を前記送信映像信号として送信する映像ミュートを行う送信手段と、
前記送信手段で前記再生映像ミュート信号が送信された場合に、映像ミュートの開始指示を送信する映像ミュート指示手段と、
所定のミュート映像に対応した表示映像ミュート信号を生成するための映像ミュート情報を送信する映像ミュート情報送信手段と、
を備えることを特徴とする。
【００１２】
本発明に係る受信装置は、
再生映像信号を送信映像信号として送信し、前記再生映像信号の種類が変化する場合に、前記再生映像信号の代わりに、所定のミュート映像に対応した再生映像ミュート信号を送信する映像ミュートを行う送信装置から、前記送信映像信号を受信する受信手段と、
前記送信装置から、所定のミュート映像に対応した表示映像ミュート信号を生成するための映像ミュート情報を受信する映像ミュート情報受信手段と、
前記映像ミュート情報受信手段で受信された前記映像ミュート情報に応じて、前記表示映像ミュート信号を生成する表示映像ミュート信号生成手段と、
前記受信手段で受信された前記送信映像信号を表示部に出力する出力手段であって、前記送信装置における映像ミュートの開始の際に前記送信装置から送信される映像ミュートの開始指示を受信した場合に、前記送信映像信号の代わりに、前記表示映像ミュート信号生成手段で生成された表示映像ミュート信号を前記表示部に出力する映像ミュートを開始する出力手段と、
を備えることを特徴とする。
【００１３】
本発明に係る制御情報送信装置は、
再生映像信号を送信映像信号として受信装置に送信し、前記再生映像信号の種類が変化する場合に、前記再生映像信号の代わりに、所定のミュート映像に対応した再生映像ミュート信号を前記送信映像信号として送信する映像ミュートを行う送信装置の制御情報送信装置であって、
前記映像ミュートの開始の際に、前記受信装置に対して映像ミュートの開始指示を送る映像ミュート指示手段と、
所定のミュート映像に対応した表示映像ミュート信号を生成するための映像ミュート情報を前記受信装置に送る映像ミュート情報提供手段と、
を備えることを特徴とする。
【００１４】
本発明に係る伝送方法は、
再生映像信号の種類の変化を検出するステップと、
前記再生映像信号を送信映像信号として送信するステップと、
前記再生映像信号の種類の変化が検出された場合に、前記再生映像信号の代わりに、所定のミュート映像に対応した再生映像ミュート信号を前記送信映像信号として送信する映像ミュートを行うステップと、
前記再生映像ミュート信号が送信された場合に、映像ミュートの開始指示を送信するステップと、
所定のミュート映像に対応した表示映像ミュート信号を生成するための映像ミュート情報を送信するステップと、
を有する送信方法と、
前記送信映像信号を受信するステップと、
前記映像ミュート情報を受信するステップと、
前記映像ミュート情報に応じて、前記表示映像ミュート信号を生成するステップと、
前記送信映像信号を表示部に出力するステップと、
前記映像ミュートの開始指示を受信した場合に、前記送信映像信号の代わりに、前記表示映像ミュート信号を前記表示部に出力する映像ミュートを開始するステップと、
を有する受信方法と、
を含むことを特徴とする。
【００１５】
本発明に係る送信方法は、
再生映像信号の種類の変化を検出するステップと、
前記再生映像信号を送信映像信号として送信するステップと、
前記再生映像信号の種類の変化が検出された場合に、前記再生映像信号の代わりに、所定のミュート映像に対応した再生映像ミュート信号を前記送信映像信号として送信する映像ミュートを行うステップと、
前記再生映像ミュート信号が送信された場合に、映像ミュートの開始指示を送信するステップと、
所定のミュート映像に対応した表示映像ミュート信号を生成するための映像ミュート情報を送信するステップと、
を有することを特徴とする。
【００１６】
本発明に係る受信方法は、
再生映像信号を送信映像信号として送信し、前記再生映像信号の種類が変化する場合に、前記再生映像信号の代わりに、所定のミュート映像に対応した再生映像ミュート信号を送信する映像ミュートを行う送信装置から、前記送信映像信号を受信するステップと、
前記送信装置から、所定のミュート映像に対応した表示映像ミュート信号を生成するための映像ミュート情報を受信するステップと、
前記映像ミュート情報に応じて、表示映像ミュート信号を生成するステップと、
前記送信映像信号を表示部に出力するステップと、
前記送信装置における映像ミュートの開始の際に前記送信装置から送信される映像ミュートの開始指示を受信した場合に、前記送信映像信号の代わりに、前記表示映像ミュート信号を前記表示部に出力する映像ミュートを開始するステップと、
を有することを特徴とする。
【００１７】
本発明に係る制御情報送信方法は、
再生映像信号を送信映像信号として受信装置に送信し、前記再生映像信号の種類が変化する場合に、前記再生映像信号の代わりに、所定のミュート映像に対応した再生映像ミュート信号を前記送信映像信号として送信する映像ミュートを行う送信装置の制御情報送信方法であって、
前記映像ミュートの開始の際に、前記受信装置に対して映像ミュートの開始指示を送るステップと、
所定のミュート映像に対応した表示映像ミュート信号を生成するための映像ミュート情報を前記受信装置に送るステップと、
を有することを特徴とする。
【発明の効果】
【００１８】
本発明によれば、受信装置側のミュート映像の内容を送信装置側で制御することができる。
【図面の簡単な説明】
【００１９】
【図１】実施の形態に係る伝送システムの構成を示すブロック図である。
【図２】実施の形態に係る映像ミュート色情報設定部で生成される映像ミュート色情報パケットデータの構成を示す図である。
【図３】実施の形態に係る映像ミュート色情報設定部で生成される映像ミュート色情報パケットデータで用いるＶＩＣの意味を示す図である。
【図４】実施の形態に係る映像ミュート色情報設定部で生成される映像ミュート色情報パケットデータで用いるＣｏｌｏｒ  Ｄｅｐｔｈの意味を示す図である。
【図５】実施の形態に係る映像ミュート色情報設定部で生成される映像ミュート色情報パケットデータで用いるＣｏｌｏｒ  Ｓｐａｃｅの意味を示す図である。
【図６】実施の形態に係る映像ミュート色情報設定部で生成される映像ミュート色情報パケットデータで用いるＣｏｌｏｒ  ＳｐａｃｅとＣｏｌｏｒ  Ｖａｌｕｅとの関係を示す図である。
【図７】実施の形態に係る映像ミュート期間設定部で生成される映像ミュート期間パケットデータの構成を示す図である。
【図８】実施の形態に係る暗号安定待ち時間記憶部で記憶される暗号安定待ち時間テーブルの構成を示す図である。
【図９】実施の形態に係る暗号安定待ち時間記憶部の暗号安定待ち時間テーブルで使用される暗号安定待ち時間インデックスと暗号安定待ち時間との関係を示す図である。
【図１０】実施の形態に係る送信装置の動作を示すフローチャートである。
【図１１】実施の形態に係る受信装置の動作を示すフローチャートである。
【図１２】実施の形態に係る伝送システムの動作を示すタイムチャートである。
【図１３】実施の形態に係る再生コントローラでの再生映像ミュート制御処理のフローチャートを示す図である。
【図１４】実施の形態に係る再生コントローラでの映像ミュート開始処理のフローチャートを示す図である。
【図１５】実施の形態に係る再生コントローラでの再生信号切り替え処理のフローチャートを示す図である。
【図１６】実施の形態に係る再生コントローラでの再生映像再開処理のフローチャートを示す図である。
【図１７】実施の形態に係る再生コントローラでの暗号安定待ち時間取得処理のフローチャートを示す図である。
【図１８】実施の形態に係る再生コントローラでの暗号安定待ち時間更新処理のフローチャートを示す図である。
【図１９】実施の形態に係る表示コントローラでの表示映像ミュート制御処理理のフローチャートを示す図である。
【図２０】実施の形態に係る表示コントローラでの表示映像ミュート開始処理理のフローチャートを示す図である。
【図２１】実施の形態に係る表示コントローラでの表示映像切り替え処理理のフローチャートを示す図である。
【図２２】実施の形態に係る送信装置と受信装置との間の映像ミュートに関するパケットのシーケンスを示す図である。
【発明を実施するための形態】
【００２０】
以下、本発明の実施の形態を図面に従って説明する。
［伝送システムの構成］
図１は、本発明の実施の形態に係る伝送システム１００の構成を示すブロック図である。この伝送システム１００は、映像信号を送信する送信装置１と、当該送信装置１からの映像信号を受信する受信装置５とを含む。本例では、送信装置１は、映像音声コンテンツを再生して映像音声信号を送信する映像音声再生装置であり、受信装置５は、送信装置１からの映像音声信号を受信して映像および音声を出力する映像音声出力装置である。
【００２１】
送信装置１と受信装置５とは、伝送経路３を介して互いに接続されている。本例では、送信装置１および受信装置５は、デジタル映像信号、デジタル音声信号、および制御情報を伝送可能なデジタル映像音声接続インターフェースを持ち、デジタル映像音声ケーブルであるＨＤＭＩケーブルにより接続されている。すなわち、映像信号や音声信号は、ＨＤＭＩケーブルにより送信装置１から受信装置５へと伝送される。
【００２２】
［送信装置の構成］
まず、送信装置１の構成について述べる。図１において、送信装置１は、ドライブ１１、映像音声再生部１２、検出部１３、再生映像ミュート信号生成部１４、再生映像切替部１５、再生音声ミュート信号生成部１６、再生音声切替部１７、映像ミュート色情報設定部１８、映像ミュート期間設定部１９、送信部２０、暗号安定待ち時間記憶部２１、および制御部（以下、「再生コントローラ」と称す）２２を備える。
【００２３】
ドライブ１１は、挿入されたＤＶＤ規格やＢＤ規格等のディスクを読む光学ドライブである。ドライブ１１は、再生コントローラ２２の指示に従って、ディスクに記録された映像音声コンテンツである映像音声ストリームを読み取って映像音声再生部１２へと出力する。なお、本例では、ドライブ１１は光学ドライブとしたが、映像音声ストリームを保持したものであれば、ハードディスクドライブであっても構わないし、フラッシュメモリを用いた記憶媒体でも構わない。
【００２４】
映像音声再生部１２には、ドライブ１１にて読み出された映像音声ストリームが入力される。映像音声再生部１２は、映像音声ストリームから、映像ストリームと音声ストリームとを分離するデマルチプレクサと、映像ストリームをデコードする映像デコーダと、音声ストリームをデコードする音声デコーダとを有している。映像音声再生部１２は、再生コントローラ２２の指示に従って、内包するデマルチプレクサと映像・音声デコーダとを動作させ、入力された映像音声ストリームのデコードを行い、再生映像信号および再生音声信号を出力する。また、再生映像信号のフォーマット情報および著作権保護の有無を示す情報を検出部１３に出力するとともに、ＶＳＹＮＣ（垂直同期信号）出力情報を再生コントローラ２２に通知する。
【００２５】
検出部１３は、再生映像信号の種類の変化を検出する。具体的には、検出部１３は、再生映像信号の種類の変化として、再生映像信号の映像フォーマットの変化、および再生映像信号の暗号化（または著作権保護）の有無の変化を検出する。より具体的には、検出部１３は、映像音声再生部１２から入力された再生映像のフォーマット情報や著作権保護の有無を示す情報と、現在の再生映像のフォーマット情報や著作権保護の有無とを比較して、再生映像のフォーマット情報や著作権保護の有無が変化した場合には、当該変化を再生コントローラ２２に通知する。なお、映像フォーマットが変化する場合としては、例えば、ＤＶＤなどに格納されている標準解像度の映像（ＳＤ映像）と、ＢＤなどに格納されている高解像度の映像（ＨＤ映像）とが切り替わる際などがある。
【００２６】
再生映像ミュート信号生成部１４は、再生コントローラ２２の指示に基づき、所定のミュート映像を表す再生映像ミュート信号（または所定のミュート映像に対応した再生映像ミュート信号）を生成する。具体的には、再生映像ミュート信号生成部１４は、再生コントローラ２２により指定された色空間情報および色情報に基づき、黒や青などの単一色で画面全体が塗り潰された静止画像を表す再生映像ミュート信号を生成する。
【００２７】
再生映像切替部１５は、再生コントローラ２２の指示に従い、映像音声再生部１２から入力される再生映像信号と、再生映像ミュート信号生成部１４から入力される再生映像ミュート信号とを切り替えて、送信部２０へと再生映像出力信号を出力する。すなわち、再生映像切替部１５は、再生映像信号および再生映像ミュート信号の一方を選択的に再生映像出力信号として送信部２０へ出力する。
【００２８】
再生音声ミュート信号生成部１６は、再生コントローラ２２の指示に従い、無音の再生音声ミュート信号を生成する。
【００２９】
再生音声切替部１７は、再生コントローラ２２の指示に従い、映像音声再生部１２から入力される再生音声信号と、再生音声ミュート信号生成部１６から入力される再生音声ミュート信号とを切り替えて、送信部２０へと再生音声出力信号を出力する。すなわち、再生音声切替部１７は、再生音声信号および再生音声ミュート信号の一方を選択的に再生音声出力信号として送信部２０へ出力する。
【００３０】
映像ミュート色情報設定部１８は、再生コントローラ２２の指示に従い、映像ミュート色情報を映像ミュート色情報パケットデータに変換し、送信部２０へ出力する。
【００３１】
映像ミュート期間設定部１９は、再生コントローラ２２の指示に従い、映像ミュート期間情報を映像ミュート期間パケットデータに変換し、送信部２０へ出力する。
【００３２】
送信部２０は、送信映像信号を受信装置５に送信する。具体的には、送信部２０は、再生映像切替部１５からの再生映像出力信号、または当該再生映像出力信号を暗号化して得られる暗号化された再生映像出力信号を、送信映像信号として受信装置５に送信する。より具体的には、送信部２０は、再生コントローラ２２の指示に従って、再生映像切替部１５から出力された再生映像出力信号と、再生音声切替部１７から出力された再生音声出力信号と、映像ミュート色情報設定部１８から出力された映像ミュート色情報パケットデータと、映像ミュート期間設定部１９から出力された映像ミュート期間パケットデータとを、ＨＤＭＩ規格に適合するように多重化し、必要に応じてコンテンツ（再生映像出力信号および再生音声出力信号）の暗号化を行い、ＨＤＭＩ信号として出力する。また、送信部２０は、受信装置５との暗号化通信において暗号エラーが発生した場合は、暗号エラーを再生コントローラ２２に通知する。さらに、送信部２０は、ＨＤＭＩケーブルを通じて接続されている受信装置５の受信部５１から機器識別番号を取得して再生コントローラ２２に通知する。
【００３３】
暗号安定待ち時間記憶部２１は、受信装置５の識別情報と暗号安定待ち時間とが対応付けられた対応情報である暗号安定待ち時間テーブルを記憶する。具体的には、暗号安定待ち時間記憶部２１は、再生コントローラ２２の指示に従い、受信装置５の識別情報である機器識別番号と、当該受信装置５に対して用いられる暗号安定待ち時間とを対応付けて継続的に記憶する。また、暗号安定待ち時間記憶部２１は、再生コントローラ２２からの要求に応じて、指定された機器識別番号に対応する暗号安定待ち時間を再生コントローラ２２に提供する。
【００３４】
再生コントローラ２２は、ドライブ１１、映像音声再生部１２、検出部１３、再生映像ミュート信号生成部１４、再生映像切替部１５、再生音声ミュート信号生成部１６、再生音声切替部１７、映像ミュート色情報設定部１８、映像ミュート期間設定部１９、送信部２０、および暗号安定待ち時間記憶部２１を制御することで、ドライブ１１にセットされたコンテンツを、ＨＤＭＩ信号として受信装置５に出力する。再生コントローラ２２の機能については、後に詳しく述べる。
【００３５】
［受信装置の構成］
次に、受信装置５の構成について述べる。図１において、受信装置５は、受信部５１、映像ミュート期間検出部５２、映像ミュート色情報検出部５３、表示映像ミュート信号生成部５４、表示映像切替部５５、出力音声ミュート信号生成部５６、出力音声切替部５７、映像表示部５８、音声出力部５９、および制御部（以下、「表示コントローラ」と称す）６０を備える。
【００３６】
受信部５１は、送信装置１から送信映像信号を受信する。具体的には、受信部５１は、送信装置１から出力された送信映像信号を含むＨＤＭＩ信号を受けて、表示コントローラ６０の指示のもと、ＨＤＭＩ規格に従い、必要に応じて暗号を解除しながら、再生映像出力信号、再生音声出力信号、映像ミュート色情報パケットデータ、および映像ミュート期間パケットデータに分離して出力する。
【００３７】
映像ミュート期間検出部５２は、受信部５１から出力された映像ミュート期間パケットデータを取り込み、当該映像ミュート期間パケットデータから映像ミュート期間情報を抽出して、表示コントローラ６０へ出力する。
【００３８】
映像ミュート色情報検出部５３は、受信部５１から出力された映像ミュート色情報パケットデータを取り込み、当該映像ミュート色情報パケットデータから映像ミュート色情報を抽出して、表示コントローラ６０へ出力する。
【００３９】
表示映像ミュート信号生成部５４は、表示コントローラ６０の指示に基づき、所定のミュート映像を表す表示映像ミュート信号（または所定のミュート映像に対応した表示映像ミュート信号）を生成する。具体的には、表示映像ミュート信号生成部５４は、表示コントローラ６０により指定された色空間情報および色情報に基づき、黒や青などの単一色で画面全体が塗り潰された静止画像を表す再生映像ミュート信号を生成する。
【００４０】
表示映像切替部５５は、表示コントローラ６０の指示に従い、受信部５１から入力された再生映像出力信号と、表示映像ミュート信号生成部５４から入力された表示映像ミュート信号を切り替えて、映像表示部５８へと表示映像出力信号として出力する。すなわち、表示映像切替部５５は、再生映像出力信号および表示映像ミュート信号の一方を選択的に表示映像出力信号として映像表示部５８へ出力する。
【００４１】
出力音声ミュート信号生成部５６は、表示コントローラ６０の指示に従い、無音の出力音声ミュート信号を生成する。
【００４２】
出力音声切替部５７は、表示コントローラ６０の指示に従い、受信部５１から入力された再生音声出力信号と、出力音声ミュート信号生成部５６から入力された出力音声ミュート信号を切り替えて、音声出力部５９へと出力音声出力信号として出力する。すなわち、出力音声切替部５７は、再生音声出力信号および出力音声ミュート信号の一方を選択的に出力音声出力信号として音声出力部５９へ出力する。
【００４３】
映像表示部５８は、表示映像切替部５５からの表示映像出力信号を表示デバイス７に出力する。具体的には、映像表示部５８は、表示コントローラ６０の指示に従い、表示映像切替部５５からの表示映像出力信号を処理して表示映像信号を生成し、当該表示映像信号を表示デバイス７に出力し、表示映像出力信号に応じた映像を表示させる。
【００４４】
音声出力部５９は、出力音声切替部５５からの出力音声出力信号を音声出力デバイス８に出力する。具体的には、音声出力部５９は、表示コントローラ６０の指示に従い、出力音声切替部５５からの出力音声出力信号を処理して出力音声信号を生成し、当該出力音声信号を音声出力デバイス８に出力し、出力音声出力信号に応じた音声を出力させる。
【００４５】
表示コントローラ６０は、受信部５１、映像ミュート期間検出部５２、映像ミュート色情報検出部５３、表示映像ミュート信号生成部５４、表示映像切替部５５、出力音声ミュート信号生成部５６、出力音声切替部５７、映像表示部５８、音声出力部５９を制御することで、ＨＤＭＩケーブルを通じて送られてきた映像信号および音声信号を、表示デバイス７に表示させ、音声出力デバイス８に出力させる。表示コントローラ６０の機能については、後に詳しく述べる。
【００４６】
［暗号化通信］
次に、送信装置１と受信装置５との間の暗号化通信について述べる。本例では、暗号化通信にはＨＤＣＰが用いられ、以下、ＨＤＣＰの暗号化および解除について述べる。
【００４７】
ＨＤＣＰによる暗号化の要否は、再生コンテンツの著作権保護の有無で決まる。映像音声再生部１２は、検出部１３に対し、再生コンテンツの著作権保護の有無を通知する。検出部１３は、著作権保護の有無に変化がある場合、その旨を再生コントローラ２２に通知し、再生コントローラ２２は、この通知をもとに、コンテンツに著作権保護がかかっている場合は、送信部２０に対してＨＤＣＰによる暗号化を指示する。
【００４８】
暗号化通信は、送信部２０と受信部５１との間で実施される。送信部２０は、再生コントローラ２２からの暗号化の指示に応じて、受信部５１との機器認証を行う。この認証が成功すると、送信部２０と受信部５１との間で暗号化通信が始まる。暗号化および暗号解除に用いられる鍵情報は、送信部２０と受信部５１との各々で、フレーム毎に更新されていく。この更新が何らかの原因でうまくいかなかった場合、受信部５１での暗号解除がうまくいかなくなる。送信部２０は、定期的に受信部５１に暗号化情報を問い合わせることにより、暗号化通信がうまくいっているかどうかを確認する。もし暗号エラーが発生している場合、送信部２０は、再生コントローラ２２に暗号エラーの通知を出すと共に、暗号化通信を最初からやり直す。
【００４９】
［再生コントローラの機能］
次に、再生コントローラ２２の機能について述べる。
図１において、再生コントローラ２２は、映像ミュート部２２１、映像ミュート指示部２２２、映像ミュート情報提供部２２３、識別情報取得部２２４、および暗号化通信制御部２２５を有する。
【００５０】
映像ミュート部２２１は、検出部１３により再生映像信号の種類の変化が検出された場合に、再生映像信号の代わりに、所定のミュート映像を表す再生映像ミュート信号を送信映像信号として送信する処理である映像ミュートを行う。具体的には、映像ミュート部２２１は、検出部１３により種類の変化が検出された場合に映像ミュートを開始し、映像ミュートを開始してから所定期間経過後に、再生映像ミュート信号の種類を変化前の種類から変化後の種類に切り替え、当該切り替えから所定期間経過後に、映像ミュートを解除し、送信部２０による変化後の種類の再生映像信号の送信を開始する。図１の例では、映像ミュート部２２１は、上記映像ミュートを行う場合、再生映像ミュート信号生成部１４、再生映像切替部１５、および送信部２０を制御して、再生映像ミュート信号を生成し、当該再生映像ミュート信号を含むＨＤＭＩ信号を受信装置５に送信する。
【００５１】
映像ミュート指示部２２２は、上記映像ミュートの開始の際に（または送信部２０で再生映像ミュート信号が送信された場合に）、受信装置５に対して映像ミュートの開始指示を送る。本例では、映像ミュート指示部２２２は、映像ミュートの開始指示を送る際に、受信装置５に対し、映像ミュートの開始までの時間を示す開始時間情報を通知する。具体的には、映像ミュート指示部２２２は、開始時間情報として、映像信号の種類が切り替えられるまでの時間を示す情報や、映像信号の種類が切り替えられるタイミングを示す情報を通知する。図１の例では、映像ミュート指示部２２２は、映像ミュート部２２１により映像ミュートが開始された場合に、映像ミュート期間設定部１９および送信部２０を制御して、映像ミュート開始指示および開始時間情報を含む映像ミュート期間情報をパケット化して、映像ミュート期間パケットＰｓを受信装置５に送信する。
【００５２】
また、映像ミュート指示部２２２は、受信装置５に対して映像ミュートの解除指示を送る。本例では、映像ミュート指示部２２２は、映像ミュートの解除指示を送る際に、受信装置５に対し、映像ミュートの解除までの時間を示す解除時間情報を通知する。具体的には、映像ミュート指示部２２２は、解除時間情報として、送信側の映像ミュートが解除されるまでの時間を示す情報や、送信側の映像ミュートが解除されるタイミングを示す情報を通知する。図１の例では、映像ミュート指示部２２２は、映像ミュート部２２１により映像信号の種類の切り替えが行われた場合に、映像ミュート期間設定部１９および送信部２０を制御して、映像ミュート解除指示および解除時間情報を含む映像ミュート期間情報をパケット化して、映像ミュート期間パケットＰｒを受信装置５に送信する。
【００５３】
映像ミュート情報提供部２２３は、所定のミュート映像を表す表示映像ミュート信号を生成するための映像ミュート情報を受信装置５に提供する。本例では、表示映像ミュート信号は、再生映像ミュート信号と同じミュート映像を表す。また、表示映像ミュート信号は、画面全体が所定の色で塗り潰された静止画像を表し、ミュート情報は、上記所定の色（ミュート映像の色であり、ミュート色ともいう）を示す色情報を含む。また、映像ミュート情報提供部２２３は、再生映像信号の映像フォーマットが変化する場合に、変化後の映像フォーマットの映像信号を処理するための映像フォーマット情報を受信装置５に提供する。図１の例では、映像ミュート情報提供部２２３は、映像ミュート部２２１による映像ミュートの開始の際に、映像ミュート色情報設定部１８および送信部２０を制御して、ミュート情報および映像フォーマット情報を含む映像ミュート色情報をパケット化して、映像ミュート色情報パケットＰｉを受信装置５に送信する。
【００５４】
識別情報取得部２２４は、送信装置１に接続された受信装置５の識別情報を取得する。図１の例では、識別情報取得部２２４は、送信部２０を介して、受信装置５の機器識別番号を取得する。
【００５５】
暗号化通信制御部２２５は、変化後の種類の再生映像信号が暗号化を必要とする場合、映像ミュート中に、送信映像信号の暗号化通信を開始し、その後、暗号化通信が安定したか否かを判定する。そして、映像ミュート指示部２２２は、暗号化通信制御部２２５により暗号化通信が安定したと判定された場合に、受信装置５に対して映像ミュートの解除指示を送る。具体的には、暗号化通信制御部２２５は、暗号化通信を開始した後、暗号安定待ち時間記憶部２１の対応情報に基づき、識別情報取得部２２４により取得された識別情報に対応する暗号安定待ち時間だけ待った後に、暗号化通信が安定したか否かを判定する。そして、暗号化通信制御部２２５は、判定結果に基づき対応情報を更新する。具体的には、暗号化通信が安定していないと判定された場合には、取得された識別情報に対応する暗号安定待ち時間が長くなるように対応情報を更新する。また、暗号化通信が安定していると判定された場合には、取得された識別情報に対応する暗号安定待ち時間が短くなるように対応情報を更新する。暗号化通信制御部２２５は、例えば、送信部２０からの暗号エラーの通知に基づき、暗号化通信が安定したか否かを判定する。
【００５６】
［表示コントローラの機能］
次に、表示コントローラ６０の機能について述べる。
図１において、表示コントローラ６０は、映像ミュート情報取得部６０１および映像ミュート部６０２を有する。
【００５７】
映像ミュート情報取得部６０１は、送信装置１からの映像ミュート情報を取得する。図１の例では、映像ミュート情報取得部６０１は、受信部５１および映像ミュート色情報検出部５３を制御して、送信装置１からの映像ミュート色情報パケットＰｉを受信し、当該パケットＰｉから映像ミュート情報を取得し、当該映像ミュート情報を表示映像ミュート信号生成部５４に渡す。表示映像ミュート信号生成部５４は、当該映像ミュート情報に応じて、表示映像ミュート信号を生成する。また、映像ミュート情報取得部６０１は、映像ミュート色情報パケットＰｉから映像フォーマット情報を取得して映像表示部５８に渡す。映像表示部５８は、当該映像フォーマット情報に基づき、送信装置１からの送信映像信号（具体的には、変化後の映像フォーマットの再生映像ミュート信号および再生映像信号）の処理を行う。
【００５８】
映像ミュート部６０２は、送信装置１からの映像ミュートの開始指示に応じて、送信映像信号の代わりに、上記取得された映像ミュート情報に基づいて表示映像ミュート信号生成部５４で生成される表示映像ミュート信号を出力する処理である映像ミュートを開始する。
【００５９】
本例では、映像ミュート部６０２は、送信装置１から通知された開始時間情報に基づき映像ミュートを開始する。具体的には、映像ミュート部６０２は、開始時間情報により示される時間内に、映像ミュートを開始する。図１の例では、映像ミュート部６０２は、受信部５１、映像ミュート期間検出部５２、表示映像ミュート信号生成部５４、表示映像切替部５５、および映像表示部５８を制御して、送信装置１から映像ミュート期間パケットＰｓを受信した場合に、送信映像信号に代えて、表示映像ミュート信号生成部５４で生成された表示映像ミュート信号を表示デバイス７に表示させる映像ミュートを開始する。このとき、映像ミュート部６０２は、映像ミュート期間パケットＰｓに含まれる開始時間情報に基づき、送信装置１における映像信号の種類の切り替えの前に、上記映像ミュートを開始する。
【００６０】
また、映像ミュート部６０２は、上記映像ミュートの開始後の所定のタイミングで、映像ミュートを解除し、送信映像信号を処理して表示デバイス７に出力する処理を開始する。具体的には、映像ミュート部６０２は、送信装置１からの映像ミュートの解除指示に応じて、映像ミュートを解除する。また、映像ミュート部６０２は、送信装置１から通知された解除時間情報に基づき映像ミュートを解除する。具体的には、映像ミュート部６０２は、解除時間情報により示される時間内に、映像ミュートを解除する。図１の例では、映像ミュート部６０２は、受信部５１、映像ミュート期間検出部５２、表示映像切替部５５、および映像表示部５８を制御して、送信装置１から映像ミュート期間パケットＰｒを受信した場合に、当該パケットＰｒに含まれる解除時間情報に基づき、送信装置１における映像信号の種類の切り替えの後、送信装置１における映像ミュートの解除の前に、映像ミュートを解除する。
【００６１】
［映像ミュート色情報パケットデータ］
次に、映像ミュート色情報設定部１８にて生成される映像ミュート色情報パケットデータについて述べる。図２は、映像ミュート色情報パケットデータの構成を示す図である。図中のＨＢはヘッダーバイト（Ｈｅａｄｅｒ  Ｂｙｔｅ）、ＰＢはパケットバイト（Ｐａｃｋｅｔ  Ｂｙｔｅ）を意味する。映像ミュート色情報パケットデータは、パケットヘッダＨＢ０〜ＨＢ２と、それに続くパケットデータＰＢ０〜ＢＰ７とから成る。
【００６２】
パケットヘッダのＨＢ０には、Ｍｕｔｅ  Ｃｏｌｏｒ  Ｔｙｐｅが設定される。これは、他のパケットと区別するためのものであり、ここでは、１６進数で０ｘ０Ｂが設定されている。この値は、他のパケットで使用されているものでなければ、別な値でも構わない。ＨＢ１には、映像ミュート色情報パケットデータのバージョンを表すＭｕｔｅ  Ｃｏｌｏｒ  Ｖｅｒｓｉｏｎが設定される。今回はＭｕｔｅ  Ｃｏｌｏｒ  Ｖｅｒｓｉｏｎ＝０ｘ０１であるが、今後の機能追加に応じて数字が加算されていく。ＨＢ２には、パケットデータのバイト数を表すＭｕｔｅ  Ｃｏｌｏｒ  Ｌｅｎｇｔｈが設定される。
【００６３】
パケットデータのＰＢ０のｂｉｔ０〜６には、変化後の再生映像信号の映像フォーマットを示す映像フォーマット情報であるＶＩＣ（Ｖｉｄｅｏ  Ｆｏｒｍａｔ  Ｉｄｅｎｔｉｆｉｃａｔｉｏｎ  Ｃｏｄｅ）が配置される。
【００６４】
図３は、図２のＰＢ０のｂｉｔ０〜６に設定されるＶＩＣの値が表す意味を示す図である。ＶＩＣの値については、ＨＤＭＩ規格が参照している全米家電協会ＣＥＡ（Ｃｏｎｓｕｍｅｒ  Ｅｌｅｃｔｒｏｎｉｃｓ  Ａｓｓｏｃｉａｔｉｏｎ）がＣＥＡ−８６１−Ｄで定義した値を用いる。図３には、一例として前半の値を示している。図３において、４８０ｐ、７２０ｐ、１０８０ｉ、４８０ｉは、有効ライン数と走査方式を示している。走査方式については、ｐは順次走査方式、ｉは飛び越し走査方式を示す。走査方式の後にハイフン付で示した数字（−６０）は、１秒間に何枚の絵を表示するかを表すフレーム（飛び越し走査においてはフィールド）周波数を表す。４：３や１６：９は画面アスペクト比を表す。ＶＩＣ番号６および７については、「２ｘ」との記述があるが、これは、２倍のピクセルクロックで送信するという意味であり、例えば有効ライン数４８０ライン、フィールド周波数６０Ｈｚの映像フォーマットであれば、通常は水平有効画素数は、７２０画素であるが、２倍のピクセルクロックで送信を行うため、１４４０画素として送信するという意味である。
【００６５】
図２のパケットデータのＰＢ１には、色深度Ｃｏｌｏｒ  Ｄｅｐｔｈと、色空間Ｃｏｌｏｒ  Ｓｐａｃｅが配置される。Ｃｏｌｏｒ  ＤｅｐｔｈおよびＣｏｌｏｒ  Ｓｐａｃｅともに、変化後の情報が設定される。
【００６６】
図４は、図２のＰＢ１のｂｉｔ４〜７に設定されるＣｏｌｏｒ  Ｄｅｐｔｈが表す意味を示す図である。Ｃｏｌｏｒ  Ｄｅｐｔｈは、２４ｂｉｔ、３０ｂｉｔ、３６ｂｉｔ、４８ｂｉｔの４種類を定義している。例えば、Ｃｏｌｏｒ  ＳｐａｃｅがＲＧＢの場合、各チャンネルのｂｉｔ数は、順に８ｂｉｔ、１０ｂｉｔ、１２ｂｉｔ、１６ｂｉｔとなる。
【００６７】
図５は、図２のＰＢ１のｂｉｔ０〜３に設定されるＣｏｌｏｒ  Ｓｐａｃｅが表す意味を示す図である。Ｃｏｌｏｒ  Ｓｐａｃｅは、ＲＧＢ、ＹＣｂＣｒ４：４：４、ＹＣｂＣｒ４：２：２の３種類を定義している。
【００６８】
図２のＰＢ０のＶＩＣ、ＰＢ１のＣｏｌｏｒ  ＤｅｐｔｈおよびＣｏｌｏｒ  Ｓｐａｃｅを送ることで、受信側は、変化後の映像フォーマットを事前に認識できる。
【００６９】
図２のパケットデータのＰＢ２〜７には、映像ミュートを行う際のミュート色（すなわちミュート映像の色を示す色情報）Ｃｏｌｏｒ  Ｖａｌｕｅが配置される。Ｃｏｌｏｒ  Ｖａｌｕｅには、１〜３の３チャンネル分の領域があり、それぞれ０〜１５の１６ｂｉｔ分用意されている。Ｃｏｌｏｒ  Ｄｅｐｔｈで２４ｂｉｔが指定された場合、Ｃｏｌｏｒ  Ｖａｌｕｅ８〜１５は不要であるので、ＰＢ５〜７は使用されず、ＰＢ２のＭｕｔｅ  Ｃｏｌｏｒ  Ｌｅｎｇｔｈには５が指定される。それ以外のＣｏｌｏｒ  Ｄｅｐｔｈの場合、ＰＢ２のＭｕｔｅ  Ｃｏｌｏｒ  Ｌｅｎｇｔｈには８が指定される。
【００７０】
図６は、Ｃｏｌｏｒ  ＳｐａｃｅとＣｏｌｏｒ  Ｖａｌｕｅとの関係を表す図である。例えば、Ｃｏｌｏｒ  ＳｐａｃｅとしてＲＧＢが指定されている場合、Ｃｏｌｏｒ  Ｖａｌｕｅ１はＲチャンネルの値、Ｃｏｌｏｒ  Ｖａｌｕｅ２はＧチャンネルの値、Ｃｏｌｏｒ  Ｖａｌｕｅ３はＢチャンネルの値を表す。
【００７１】
［映像ミュート期間パケットデータ］
次に、映像ミュート期間設定部１９にて生成される映像ミュート期間パケットデータについて述べる。図７は、映像ミュート期間パケットデータの構成を示した図である。映像ミュート期間パケットデータは、パケットヘッダＨＢ０〜ＨＢ２と、それに続くパケットデータＰＢ０とから成る。
【００７２】
パケットヘッダのＨＢ０には、Ｍｕｔｅ  Ｄｕｒ  Ｔｙｐｅが設定される。これは、他のパケットと区別するためのものであり、ここでは、１６進数で０ｘ０Ｃが設定されている。この値は、他のパケットで使用されているものでなければ、別な値でも構わない。ＨＢ１には、映像ミュート期間パケットデータのバージョンを表すＭｕｔｅ  Ｄｕｒ  Ｖｅｒｓｉｏｎが設定される。今回はＭｕｔｅ  Ｄｕｒ  Ｖｅｒｓｉｏｎ＝０ｘ０１とするが、今後の機能追加に応じて数字が加算されていく。ＨＢ２には、パケットデータのバイト数を表すＭｕｔｅ  Ｄｕｒ  Ｌｅｎｇｔｈが設定される。今回はＰＢ０のみが使用されるので、ＨＢ２は０ｘ０１に設定される。
【００７３】
パケットデータのＰＢ０のｂｉｔ０には、映像ミュートの開始を知らせるＭｕｔｅ  ｏｎが配置される。また、ＰＢ０のｂｉｔ４〜７には、フレーム（飛び越し走査の場合はフィールド）数を表すＣｏｕｎｔが配置される。Ｍｕｔｅ  ｏｎとＣｏｕｎｔを使って、Ｍｕｔｅ  ｏｎが１になったとき、Ｃｏｕｎｔで示したフレーム数経過後に、映像信号が途切れること（または映像フォーマット等の映像信号の種類が切り替わること）を示す。
【００７４】
パケットデータのＰＢ０のｂｉｔ１には、映像ミュートの終了を知らせるＭｕｔｅ  ｏｆｆが配置される。Ｍｕｔｅ  ｏｆｆとＣｏｕｎｔを使って、Ｍｕｔｅ  ｏｆｆが１になったとき、Ｃｏｕｎｔで示したフレーム数経過後に、有効な映像信号（すなわち再生映像信号）が出力されることを示す。
【００７５】
［暗号安定待ち時間テーブル］
次に、暗号安定待ち時間記憶部２１で記憶される暗号安定待ち時間テーブルについて述べる。図８は、暗号安定待ち時間テーブルを示す図である。暗号安定待ち時間テーブルは、管理番号、機器識別番号、暗号安定待ち時間インデックス、ＯＫ回数、およびＮＧ回数を含む。機器識別番号、暗号安定待ち時間インデックス、ＯＫ回数、およびＮＧ回数は、管理番号を使って管理される。ＯＫ回数は、暗号安定待ち時間で示されるフレーム数だけ待った場合に、暗号化通信に成功した回数であり、ＮＧ回数は、暗号安定待ち時間で示されるフレーム数だけ待った場合に、暗号化通信に失敗した回数である。これらの値は、再生コントローラ２２によって参照および更新される。
【００７６】
図９は、暗号安定待ち時間記憶部２１の暗号安定待ち時間テーブルで使用される暗号安定待ち時間インデックスと、暗号安定待ち時間との対応関係を示す図である。図９において、暗号安定待ち時間は、フレーム単位の数値で表される。例えば、暗号安定待ち時間インデックスが０の場合、暗号安定待ち時間は１６フレームであり、暗号安定待ち時間インデックスが１の場合、暗号安定待ち時間は３２フレームである。
【００７７】
［伝送システムの動作］
次に、伝送システム１００の動作について述べる。図１０は、送信装置１の動作を示すフローチャートである。図１１は、受信装置５の動作を示すフローチャートである。図１２は、伝送システム１００の動作を示すタイムチャートである。
【００７８】
まず、図１０および図１２を参照して、送信装置１の動作について述べる。
送信装置１は、ディスクに記録された映像コンテンツを再生して再生映像信号ＶＳ１を生成し、当該再生映像信号ＶＳ１を送信映像信号として受信装置５に送信する（Ｓ１１）。
【００７９】
再生映像信号の送信中に、送信装置１は、再生映像信号の種類（映像フォーマットまたは暗号化の有無）の変化を検出すると（Ｓ１２）、再生映像信号ＶＳ１に代えて、変化前の種類の再生映像ミュート信号ＭＴＳ１を送信する映像ミュートを開始する（Ｓ１３）。そして、送信装置１は、映像ミュート情報および映像フォーマット情報を含む映像ミュート色情報パケットＰｉを受信装置５に送信し（Ｓ１４）、開始時間情報を含む映像ミュート期間パケットＰｓを受信装置５に送信する（Ｓ１５）。なお、暗号化の有無のみが変化し、映像フォーマットが変化しない場合には、映像ミュート色情報パケットＰｉにおける映像フォーマット情報は省略されてもよい。
【００８０】
上記映像ミュートの開始から所定期間経過後に、送信装置１は、送信映像信号を、変化前の種類の再生映像ミュート信号ＭＴＳ１から、変化後の種類の再生映像ミュート信号ＭＴＳ２に切り替える（Ｓ１６）。すなわち、送信装置１は、再生映像ミュート信号の種類を変化前の種類から変化後の種類に切り替える。具体的には、映像フォーマットが変化する場合には、送信装置１は、変化前の映像フォーマットの再生映像ミュート信号ＭＴＳ１から、変化後の映像フォーマットの再生映像ミュート信号ＭＴＳ２に切り替える。暗号化が有りから無しに変化する場合には、送信装置１は、暗号化通信を停止し、暗号化有りの再生映像ミュート信号ＭＴＳ１から、暗号化無しの再生映像ミュート信号ＭＴＳ２に切り替える。暗号化が無しから有りに変化する場合には、送信装置１は、暗号化通信を開始し、暗号化無しの再生映像ミュート信号ＭＴＳ１から、暗号化有りの再生映像ミュート信号ＭＴＳ２に切り替える。
【００８１】
変化後の種類の再生映像信号が暗号化を必要としない場合、上記ステップＳ１６の切り替えの後、送信装置１は、解除時間情報を含む映像ミュート期間パケットＰｒを受信装置５に送信する（Ｓ１８）。そして、上記切り替えから所定期間経過後に、送信装置１は、映像ミュートを解除し、変化後の種類の再生映像信号ＶＳ２の送信を開始する（Ｓ１９）。
【００８２】
一方、変化後の種類の再生映像信号が暗号化を必要とする場合には、上記ステップＳ１６で暗号化通信が開始された後、送信装置１は、暗号化通信が安定したと判定した後に（Ｓ１７）、映像ミュート期間パケットＰｒを受信装置５に送信する（Ｓ１８）。そして、暗号化通信が安定したと判定されてから所定期間経過後に、送信装置１は、映像ミュートを解除し、変化後の種類の再生映像信号ＶＳ２の送信を開始する（Ｓ１９）。
【００８３】
次に、図１１および図１２を参照して、受信装置５の動作について述べる。
受信装置５は、送信装置１からの送信映像信号を受信し、当該送信映像信号を処理して表示デバイス７に表示させる（Ｓ２１）。
【００８４】
受信装置５は、送信装置１からの映像ミュート色情報パケットＰｉを受信し（Ｓ２２）、映像ミュート期間パケットＰｓを受信すると（Ｓ２３）、映像ミュート色情報パケットＰｉに含まれる映像ミュート情報に基づき表示映像ミュート信号ＭＲＳを生成し、映像ミュート期間パケットＰｓに含まれる開始時間情報により示される時間内に、送信映像信号の代わりに表示映像ミュート信号ＭＲＳを表示デバイス７に表示させる映像ミュートを開始する（Ｓ２４）。
【００８５】
上記映像ミュートの開始後、受信装置５は、送信装置１からの映像ミュート期間パケットＰｒを受信すると（Ｓ２５）、当該映像ミュート期間パケットＰｒに含まれる解除時間情報により示される時間内に、映像ミュートを解除し、送信装置１からの送信映像信号を処理して表示デバイス７に表示させる処理を再開する（Ｓ２６）。
【００８６】
次に、図１２を参照して、表示デバイス７に表示される映像について述べる。
当初、送信装置１から再生映像信号ＶＳ１が送信され、表示デバイス７には、再生映像信号ＶＳ１に基づく再生映像Ｖ１が表示される。
【００８７】
ステップＳ１３で送信側の映像ミュートが開始されると、表示デバイス７に表示される映像は、再生映像ミュート信号ＭＴＳ１に基づくミュート映像ＭＴ１に切り替わる。
【００８８】
次に、ステップＳ２４で受信側の映像ミュートが開始されると、表示デバイス７に表示される映像は、表示映像ミュート信号ＭＲＳに基づくミュート映像ＭＲに切り替わる。
【００８９】
次に、ステップＳ１６で送信映像信号が再生映像ミュート信号ＭＴＳ１から再生映像ミュート信号ＭＴＳ２に切り替わり、ステップＳ２６で受信側の映像ミュートが解除されると、表示デバイス７に表示される映像は、ミュート映像ＭＲから、再生映像ミュート信号ＭＴＳ２に基づくミュート映像ＭＴ２に切り替わる。
【００９０】
次に、ステップＳ１９で送信側の映像ミュートが終了し、送信映像信号が再生映像信号ＶＳ２に切り替わると、表示デバイス７に表示される映像は、ミュート映像ＭＴ２から、再生映像信号ＶＳ２に基づく再生映像Ｖ２に切り替わる。
【００９１】
［再生コントローラの動作］
次に、送信装置１の再生コントローラ２２の動作について述べる。図１３は、再生コントローラ２２による再生映像ミュート制御処理を示すフローチャートである。
【００９２】
まず、ステップＳ１０１にて、信号切り替え待ちを制御するための信号ＶＭ＿Ｗ、再生映像再開待ちを制御するための信号ＶＳ＿Ｗ、映像信号を切り替えるまでの期間を示すカウンタＶＭ＿ＣＯＵＮＴ、ＨＤＣＰでの暗号化通信の安定を待つためのカウンタＥＮ＿ＣＯＵＮＴ、およびミュートが解除されてコンテンツの再生映像が流れるまでの期間を示すカウンタＶＳ＿ＣＯＵＮＴを０で初期化する。
【００９３】
ステップＳ１０２では、映像音声再生部１２に問い合わせて再生状態にあるかを確認する。再生状態である場合はステップＳ１０３へ進み、そうでない場合は本制御処理を終了する。
【００９４】
ステップＳ１０３では、検出部１３から映像フォーマットや著作権保護の有無の変化通知があるかどうかを調べる。変化通知があった場合はステップＳ１０４へ、そうでない場合はステップＳ１０６へ進む。
【００９５】
ステップＳ１０４では、再生映像ミュート開始処理を行う。再生映像ミュート開始処理については、後ほど述べる。
【００９６】
ステップＳ１０５では、ＶＭ＿Ｗを１にセットし、再生信号切り替え待ち状態にする。
【００９７】
ステップＳ１０６では、再生信号切り替え待ち状態であるかどうか（ＶＭ＿Ｗが１かどうか）を調べる。再生信号切り替え待ち状態の場合は、ステップＳ１０７へ進む。そうでない場合は、ステップＳ１０８へと進む。
【００９８】
ステップＳ１０７では、再生信号切り替え処理を行う。再生信号切り替え処理については、後ほど述べる。
【００９９】
ステップＳ１０８では、再生映像再開待ち状態であるかどうか（ＶＳ＿Ｗが１かどうか）を調べる。再生映像再開待ち状態の場合は、ステップＳ１０９へ進む。そうでない場合は、ステップＳ１０２へと戻る。
【０１００】
ステップＳ１０９では、再生映像再開処理を行う。再生映像再開処理については、後ほど述べる。
【０１０１】
次に、図１３のステップＳ１０４の再生映像ミュート開始処理について述べる。図１４は、再生映像ミュート開始処理を示すフローチャートである。
【０１０２】
ステップＳ１２１では、映像音声再生部１２に対して再生ポーズを指示し、再生映像信号の映像フォーマット等の種類が切り替わるのを防ぐ。
【０１０３】
ステップＳ１２２では、再生映像ミュート信号生成部１４に対して、現在設定されている映像フォーマットで、所定のミュート色を指定する。
【０１０４】
ステップＳ１２３では、再生映像切替部１５に対して、再生映像ミュート信号生成部１４で生成された再生映像ミュート信号を出力するように指示する。
【０１０５】
ステップＳ１２４では、検出部１３から、変化後の再生映像信号の映像フォーマット情報を取得し、映像ミュート色情報設定部１８に対して、当該映像フォーマット情報および色情報を含む映像ミュート色情報を設定する。ここで、色情報は、検出部１３から得られたＣｏｌｏｒ  ＳｐａｃｅやＣｏｌｏｒ  Ｄｅｐｔｈで、所定のミュート色を表す情報である。映像ミュート色情報設定部１８では、映像ミュート色情報をもとに、図２のＶＩＣ、Ｃｏｌｏｒ  Ｄｅｐｔｈ、Ｃｏｌｏｒ  Ｓｐａｃｅ、Ｃｏｌｏｒ  Ｖａｌｕｅ１、２、３をセットして映像ミュート色情報パケットデータを生成し、当該映像ミュート色情報パケットデータを送信部２０に渡す。
【０１０６】
ステップＳ１２５では、送信部２０を制御して、映像ミュート色情報パケットデータをパケット化して映像ミュート色情報パケットＰｉを受信装置５に出力する。
【０１０７】
次に、図１３のステップＳ１０７の再生信号切り替え処理について述べる。図１５は、再生信号切り替え処理を示すフローチャートである。
【０１０８】
ステップＳ１４１では、映像信号を切り替えるまでの期間を示すカウンタＶＭ＿ＣＯＵＮＴが０か否かを調べる。０の場合はステップＳ１４２へ、そうでない場合はステップＳ１４４へ進む。
【０１０９】
ステップＳ１４２では、カウンタＶＭ＿ＣＯＵＮＴに５をセットする。これは、５フレーム後に、現在の映像信号の同期が切れること（または映像信号の種類が切り替わること）を意味する。ここでは、同期切れまでの待ち時間を５フレームにしたが、これ以外の値でも構わない。この値を小さくすればするほど、受信側でのミュート処理が間に合わなくなる可能性が出てくるが、トータルの映像ミュート期間を短く出来る。
【０１１０】
ステップＳ１４３では、映像ミュート期間設定部１９に対して、現在の映像信号の同期が切れるまでのフレーム数５をセットする。映像ミュート期間設定部１９では、図７のＣｏｕｎｔに５を、Ｍｕｔｅ  ｏｎに１をセットして映像ミュート期間パケットデータを生成し、当該映像ミュート期間パケットデータを送信部２０に渡す。送信部２０は、映像ミュート期間パケットデータをパケット化して映像ミュート期間パケットＰｓを受信装置５に出力する。
【０１１１】
ステップＳ１４４では、映像音声再生部１２からのＶＳＹＮＣ通知があるか否かを調べる。ＶＳＹＮＣ通知がある場合はステップＳ１４５へ、そうでない場合は当該処理を終える。
【０１１２】
ステップＳ１４５では、ＶＭ＿ＣＯＵＮＴを１つ減算する。
ステップＳ１４６では、ＶＭ＿ＣＯＵＮＴが０か否かを調べる。ＶＭ＿ＣＯＵＮＴが０である場合は、映像信号の同期が切れるまで（または映像信号の種類が切り替わるまで）の時間待ちが終わったことになり、ステップＳ１４７へ進む。一方、０でない場合は、当該処理を終える。
【０１１３】
ステップＳ１４７では、送信部２０に対して指示を出し、ＨＤＣＰの暗号化を停止させる。ＨＤＣＰの暗号化は映像信号の同期が取れている状態でないと受信側で正常な映像信号に戻せないため、映像信号の同期が切れる前に暗号化停止処理を行う。なお、暗号化が行われていない場合には、当該ステップＳ１４７はスキップされる。
【０１１４】
ステップＳ１４８では、映像音声再生部１２に対して映像フォーマットの切り替えを指示するとともに、再生映像ミュート信号生成部１４に対して、変化後の再生映像信号の映像フォーマット情報に基づく再生映像ミュート信号を出力するように設定する。なお、映像フォーマットが変化しない場合には、当該ステップＳ１４８はスキップされる。
【０１１５】
ステップＳ１４９では、検出部１３から得た著作権保護の有無を示す情報をもとに、暗号化が必要かどうかを調べる。暗号化が必要な場合はステップＳ１５０へ、そうでない場合はステップＳ１５１へ進む。
【０１１６】
ステップＳ１５０では、送信部２０に対して指示を出し、ＨＤＣＰの暗号化を開始させる。
【０１１７】
ステップＳ１５１では、再生信号切り替え処理が終わったことを示すため、ＶＭ＿Ｗを０に設定し、再生映像再開処理を行う必要があるため、ＶＳ＿Ｗを１に設定する。
【０１１８】
次に、図１３のステップＳ１０９の再生映像再開処理について述べる。図１６は、再生映像再開処理を示すフローチャートである。
【０１１９】
ステップＳ１５９では、著作権保護のために暗号化が必要かどうかを調べる。必要な場合はステップＳ１６３へ、不要な場合はステップＳ１６０へ進む。
【０１２０】
ステップＳ１６０では、ＶＳ＿ＣＯＵＮＴが０か否かを調べ、０の場合はステップＳ１６１へ、そうでなければステップＳ１７２へ進む。
【０１２１】
ステップＳ１６１では、ＶＳ＿ＣＯＵＮＴを５に設定する。ここでは５に設定したが、これ以外の値でもよい。この値を小さくすればするほど、受信側でのミュート解除が間に合わなくなり、再生映像が欠けてしまう可能性が出てくるが、トータルの映像ミュート期間を短く出来る。
【０１２２】
ステップＳ１６２では、映像ミュート期間設定部１９に対して、再生映像が出てくるまでのフレーム数５をセットする。映像ミュート期間設定部１９は、図７のＣｏｕｎｔに５を、Ｍｕｔｅ  ｏｆｆに１をセットして映像ミュート期間パケットデータを生成し、当該映像ミュート期間パケットデータを送信部２０に渡す。送信部２０は、映像ミュート期間パケットデータをパケット化して映像ミュート期間パケットＰｒを受信装置５に出力する。
【０１２３】
ステップＳ１６３では、ＨＤＣＰでの暗号化通信の安定を待つためのカウンタＥＮ＿ＣＯＵＮＴ、およびミュートが解除されてコンテンツの再生映像が流れるまでのカウンタＶＳ＿ＣＯＵＮＴがともに０か否かを調べる。ともに０の場合はステップＳ１６４へ、そうでなければステップＳ１７２へ進む。
【０１２４】
ステップＳ１６４では、暗号安定待ち時間取得処理を行った後にステップＳ１７２へ進む。暗号安定待ち時間取得処理については、後ほど述べる。
【０１２５】
ステップＳ１７２では、映像音声再生部１２からのＶＳＹＮＣ通知があるか否かを調べる。ＶＳＹＮＣ通知があった場合はステップＳ１７３へ進み、なければ当該処理を終了する。
【０１２６】
ステップＳ１７３では、ＥＮ＿ＣＯＵＮＴが０か否かを調べる。０でない場合はステップＳ１６５へ、０の場合はステップＳ１７４へ進む。
【０１２７】
ステップＳ１６５では、ＥＮ＿ＣＯＵＮＴを１つ減算する。
ステップＳ１６６では、ＥＮ＿ＣＯＵＮＴが０か否かを調べる。０でなければ当該処理を終了し、０の場合はステップＳ１６７へ進む。
【０１２８】
ステップＳ１６７では、送信部２０に問い合わせてＨＤＣＰ暗号エラーが起きていないかを調べる。暗号エラーが起きていた場合は、ステップＳ１７１へ進み、引数をＮＧとして暗号安定待ち時間更新処理を行う。この暗号安定待ち時間更新処理については、後ほど述べる。一方、暗号エラーが起きていない場合、ステップＳ１６８へ進む。
【０１２９】
ステップＳ１６８では、ＶＳ＿ＣＯＵＮＴを５に設定する。ここでは５に設定したが、先のステップＳ１６１と同様、これ以外の値でもよい。
【０１３０】
ステップＳ１６９では、映像ミュート期間設定部１９に対して、再生映像が出てくるまでのフレーム数５をセットする。映像ミュート期間設定部１９では、図７のＣｏｕｎｔに５を、Ｍｕｔｅ  ｏｆｆに１をセットして映像ミュート期間パケットデータを生成し、当該映像ミュート期間パケットデータを送信部２０に渡す。送信部２０は、映像ミュート期間パケットデータをパケット化して映像ミュート期間パケットＰｒを受信装置５に出力する。
ステップＳ１７０では、引数をＯＫとして暗号安定待ち時間更新処理を行う。
【０１３１】
ステップＳ１７４では、ＶＳ＿ＣＯＵＮＴを１つ減算する。
ステップＳ１７５では、ＶＳ＿ＣＯＵＮＴが０か否かを調べる。０でなければ当該処理を終了し、０の場合はステップＳ１７６へ進む。
【０１３２】
ステップＳ１７６では、映像音声再生部１２に対して再生ポーズの解除を指示し、再生映像信号の再生を開始させ、再生映像切替部１５に対して映像音声再生部１２で再生された再生映像信号を出力するように指示する。
ステップＳ１７７では、再生映像再開処理が終わったことを示すため、ＶＳ＿Ｗを０に設定する。
【０１３３】
次に、図１６のステップＳ１６４の暗号安定待ち時間取得処理について述べる。図１７は、暗号安定待ち時間取得処理を示すフローチャートである。
【０１３４】
ステップＳ１８１では、暗号安定待ち時間テーブルにおいて、現在接続されている受信装置５の機器識別番号があるかどうかを調べる。該当する機器識別番号があればステップＳ１８２へ、なければステップＳ１８４へ進む。
【０１３５】
ステップＳ１８２では、暗号安定待ち時間テーブルから、当該機器識別番号に対応する暗号安定待ち時間インデックスを取得してＥＮ＿ＩＤＸにセットし、ステップＳ１８３へ進む。
【０１３６】
ステップＳ１８４では、初期値を設定する必要があるので、暗号安定待ち時間インデックスの最大値であるＥＮ＿ＭＡＸをＥＮ＿ＩＤＸにセットする。
【０１３７】
ステップＳ１８５では、暗号安定待ち時間テーブルに当該受信装置５の機器識別番号を登録し、当該機器識別番号と対応付けて、暗号安定待ち時間インデックスにＥＮ＿ＭＡＸをセットし、ＯＫ回数およびＮＧ回数にそれぞれ０をセットする。
【０１３８】
ステップＳ１８３では、図９に示されるテーブルＥＮ＿Ｃから、ステップＳ１８２またはＳ１８４でセットされたＥＮ＿ＩＤＸに対応する暗号安定待ち時間ＥＮ＿Ｃ［ＥＮ＿ＩＤＸ］を取り出してＥＮ＿ＣＯＵＮＴにセットする。
【０１３９】
次に、図１６のステップＳ１７０およびＳ１７１の暗号安定待ち時間更新処理について述べる。図１８は、暗号安定待ち時間更新処理を示すフローチャートである。
【０１４０】
ステップＳ２０１では、暗号安定待ち時間テーブルにおいて、現在接続されている受信装置５の機器識別番号があるかどうかを調べる。該当する機器識別番号があればステップＳ２０２へ、なければ当該処理を終了する。
【０１４１】
ステップＳ２０２では、引数がＮＧかどうかを調べる。ＮＧの場合はステップＳ２０３へ、ＯＫの場合はステップＳ２１１へ進む。
【０１４２】
ステップＳ２０３では、暗号安定待ち時間テーブルにおいて、現在接続されている受信装置５の機器識別番号に対応するＮＧ回数を１加算する。
【０１４３】
ステップＳ２０４では、上記加算後のＮＧ回数と、ＮＧ回数の閾値であるＴＨ＿ＮＧとを比較する。ＮＧ回数の方が多い場合はステップＳ２０５へ、そうでない場合は当該処理を終了する。
【０１４４】
ステップＳ２０５では、ＮＧ回数の重み付けの役割を果たすＮＧ＿Ｍ（ＮＧ＿Ｍは１よりも大きな数）とＮＧ回数をかけた値と、ＯＫ回数とを比較する。ＯＫ回数の方が少ない場合はステップＳ２０６へ、そうでない場合は当該処理を終了する。
【０１４５】
ステップＳ２０６では、暗号安定待ち時間インデックスが、当該インデックスの最大値であるＥＮ＿ＭＡＸより小さいかどうかを調べる。小さい場合はステップＳ２０７へ、そうでない場合は当該処理を終了する。
【０１４６】
ステップＳ２０７では、暗号安定待ち時間インデックスを１加算し、ＯＫ回数を０にセットする。暗号安定待ち時間インデックスを１加算するということは、現状の暗号安定待ち時間では短いので、更に長い値に設定しなおすことを意味する。
【０１４７】
ステップＳ２１１では、暗号安定待ち時間テーブルにおいて、現在接続されている受信装置５の機器識別番号に対応するＯＫ回数を１加算する。
【０１４８】
ステップＳ２１２では、ＯＫ回数とＯＫ回数の閾値であるＴＨ＿ＯＫとを比較し、さらにＮＧ回数とＴＨ＿ＮＧとを比較する。ＯＫ回数の方が多く、かつＮＧ回数の方が少ない場合はステップＳ２１３へ、そうでない場合は当該処理を終了する。
【０１４９】
ステップＳ２１３では、ＮＧ＿ＭとＮＧ回数をかけた値と、ＯＫ回数とを比較する。ＯＫ回数の方が多い場合はステップＳ２１４へ、そうでない場合は当該処理を終了する。
【０１５０】
ステップＳ２１４では、暗号安定待ち時間インデックスが、当該インデックスの最小値であるＥＮ＿ＭＩＮより大きいかどうかを調べる。大きい場合はステップＳ２１５へ、そうでない場合は当該処理を終了する。
【０１５１】
ステップＳ２１５では、暗号安定待ち時間インデックスを１減算し、ＯＫ回数を０にセットする。暗号安定待ち時間インデックスを１減算するということは、現状の暗号安定待ち時間で十分安定しているので、更に短い値に設定しなおすことを意味する。
【０１５２】
［表示コントローラの動作］
次に、受信装置５の表示コントローラ６０の動作について述べる。図１９は、表示コントローラ６０による表示映像ミュート制御処理を示すフローチャートである。
【０１５３】
ステップＳ２２１では、映像ミュート色設定処理が完了しているか否かを表すＭＣ＿ＶＬＤと、表示映像ミュート開始処理が完了しているかを表すＭＯＮ＿ＶＬＤとを０にセットする。
【０１５４】
ステップＳ２２２では、受信装置５の電源状態を確認する。電源を切る場合は当該処理を終了し、そうでない場合はステップＳ２２３へ進む。
【０１５５】
ステップＳ２２３では、映像ミュート色情報検出部５３から映像ミュート色情報の検出通知があるか否か確認する。検出通知がある場合はステップＳ２２４へ進み、そうでない場合はステップＳ２２６へ進む。
【０１５６】
ステップＳ２２４では、表示映像ミュート信号生成部５４に対し、映像ミュート色情報に基づき、映像ミュートの色値Ｃｏｌｏｒ  Ｖａｌｕｅ１，２，３や、Ｃｏｌｏｒ  Ｄｅｐｔｈ、Ｃｏｌｏｒ  Ｓｐａｃｅ、およびＶＩＣを設定する。
ステップＳ２２５では、ＭＣ＿ＶＬＤを１にセットする。
【０１５７】
ステップＳ２２６では、ＭＣ＿ＶＬＤが１か否かを調べる。１の場合はステップＳ２２７へ、そうでない場合はステップＳ２２８へ進む。
【０１５８】
ステップＳ２２７では、表示映像ミュート開始処理を行う。この表示映像ミュート開始処理については、後ほど述べる。
【０１５９】
ステップＳ２２８では、ＭＯＮ＿ＶＬＤと１を比較する。ＭＯＮ＿ＶＬＤが１の場合は、ステップＳ２２９へ進み、そうでない場合はステップＳ２２２へと戻る。
【０１６０】
ステップＳ２２９では、表示映像切り替え処理を行う。この表示映像切り替え処理については、後ほど述べる。
【０１６１】
次に、図１９のステップＳ２２７の表示映像ミュート開始処理について述べる。図２０は、表示映像ミュート開始処理を示すフローチャートである。
【０１６２】
ステップＳ２４１では、映像ミュート期間検出部５２から得た映像ミュート期間情報を調べ、Ｍｕｔｅ  Ｏｎが１に設定されているかを調べる。Ｍｕｔｅ  Ｏｎが１の場合はステップＳ２４６へ、そうでない場合はステップＳ２４２へ進む。
【０１６３】
ステップＳ２４６では、映像ミュート期間情報から、映像（または同期）が途切れるまでの時間（Ｃｏｕｎｔの値）を取得する。
【０１６４】
ステップＳ２４７では、映像表示部５８に対して、次のＶＳＹＮＣでの同期の取り直しを指示する。その際、ステップＳ２４６で取得した映像が途切れるまでの時間もあわせて通知する。映像表示部５８は、次のＶＳＹＮＣを契機に、与えられた期間内で再同期を行う。具体的には、映像表示部５８は、間もなく途切れる送信装置１からの同期信号に頼らず、自分で同期信号を生成して、当該同期信号に従って動く動作に切り替える。
【０１６５】
ステップＳ２４８では、ＶＳＹＮＣに同期して表示映像ミュート信号への切り替えを実施するためのフラグＭＯＮ＿Ｖ＿Ｗを１にセットする。
【０１６６】
ステップＳ２４２では、ＭＯＮ＿Ｖ＿Ｗが１かつＶＳＹＮＣ通知があるかどうかを調べる。ＭＯＮ＿Ｖ＿Ｗが１かつＶＳＹＮＣ通知がある場合はステップＳ２４３へ進み、そうでなければ当該処理を終了する。
【０１６７】
ステップＳ２４３では、ＭＯＮ＿Ｖ＿Ｗを０にセットする。
ステップＳ２４４では、表示映像切替部５５に対して指示を出し、表示映像ミュート信号への切り替えを行う。
ステップＳ２４５では、ＭＯＮ＿ＶＬＤを１に、ＭＣ＿ＶＬＤを０にセットする。
【０１６８】
次に、図１９のステップＳ２２９の表示映像切り替え処理について述べる。図２１は、表示映像切り替え処理を示すフローチャートである。
【０１６９】
ステップＳ２６１では、映像ミュート期間検出部５２から得た映像ミュート期間情報を調べ、Ｍｕｔｅ  Ｏｆｆ設定になっているか（すなわちＭｕｔｅ  Ｏｆｆが１に設定されているか）を調べる。Ｍｕｔｅ  Ｏｆｆの場合はステップＳ２６６へ、そうでない場合はステップＳ２６２へ進む。
【０１７０】
ステップＳ２６６では、映像ミュート期間情報から、映像ミュート解除までの時間（Ｃｏｕｎｔの値）を取得する。
【０１７１】
ステップＳ２６７では、映像表示部５８に対して、次のＶＳＹＮＣでの同期の取り直しを指示する。その際、ステップＳ２６６で取得した映像ミュート解除までの時間もあわせて通知する。映像表示部５８は、次のＶＳＹＮＣを契機に、与えられた期間内で再同期を行う。具体的には、映像表示部５８は、自分で生成する同期信号に代えて、送信装置１からの新しい（変化後の種類の）送信映像信号に含まれる同期信号に合わせて動く動作に切り替える。
【０１７２】
ステップＳ２６８では、ＶＳＹＮＣに同期して送信映像信号への切り替えを実施するためのフラグＭＯＦＦ＿Ｖ＿Ｗを１にセットする。
【０１７３】
ステップＳ２６２では、ＭＯＦＦ＿Ｖ＿Ｗが１かつＶＳＹＮＣ通知があるかどうかを調べる。ＭＯＦＦ＿Ｖ＿Ｗが１かつＶＳＹＮＣ通知がある場合はステップＳ２６３へ進み、そうでなければ当該処理を終了する。
【０１７４】
ステップＳ２６３では、ＭＯＦＦ＿Ｖ＿Ｗを０にセットする。
ステップＳ２６４では、表示映像切替部５５に対して指示を出し、受信部５１からの再生映像出力信号への切り替えを行う。
ステップＳ２６５では、ＭＯＮ＿ＶＬＤを０にセットする。
【０１７５】
［パケットのシーケンス］
図２２は、送信装置１と受信装置５との間の映像ミュートに関するパケットのシーケンスを示す図である。以下、図２２を参照して、映像ミュートに関するパケットのシーケンスについて述べる。図２２は、再生映像Ｖ１の再生の後に、映像フォーマットの異なる再生映像Ｖ２の再生を開始するに際し、両映像間にミュート映像ＭＶを挟む場合を例示している。
【０１７６】
送信装置１は、再生映像信号の映像フォーマットの変化を検知すると、ステップＳ３０１で映像ミュートを開始する。その後、送信装置１は、受信装置５に対し、映像ミュート色情報パケットＰｉを送信し、続いて映像ミュートＯＮを示す映像ミュート期間パケットＰｓを送信する。
【０１７７】
受信装置５は、映像ミュート色情報パケットＰｉと映像ミュート期間パケットＰｓを受信し、映像ミュート開始準備を行い、ステップＳ３１１で、指定された映像ミュート色による映像ミュートをかける。
【０１７８】
送信装置１は、映像ミュート期間パケットＰｓのＣｏｕｎｔで指定したフレーム数だけ待った後、ステップＳ３０２で映像信号の切り替えを行う。その後、送信装置１は、受信装置５に対し、映像ミュートＯＦＦを示す映像ミュート期間パケットＰｒを送信する。
【０１７９】
受信装置５は、映像ミュート期間パケットＰｒを受信し、映像ミュート解除準備を行い、Ｓ３１２で映像ミュートを解除する。
【０１８０】
送信装置１は、映像ミュート期間パケットＰｒのＣｏｕｎｔで指定したフレーム数だけ待った後、ステップＳ３０３で映像ミュートを解除する。
【０１８１】
上記の処理において、ステップＳ３１１の映像ミュート開始がステップＳ３０２の映像信号切り替えよりも時間的に早ければ、表示される映像は、信号の乱れのない継続したミュート映像となる。
【０１８２】
また、ステップＳ３１２の映像ミュート解除がステップＳ３０３の映像ミュート解除よりも時間的に早ければ、継続したミュート映像が表示された後、再生映像Ｖ２が、その頭が欠けることなく表示される。
【０１８３】
［音声ミュート］
以下、音声ミュートについて述べる。ただし、音声ミュートは上記映像ミュートと略同様であるので、ここでは詳しい説明は省略する。
【０１８４】
再生コントローラ２２は、映像ミュートの開始と同時に、再生音声ミュート信号生成部１６、再生音声切替部１７、および送信部２０を制御して、再生音声信号の代わりに無音の再生音声ミュート信号を送信する音声ミュートを開始する。
【０１８５】
そして、再生コントローラ２２は、映像ミュートの解除と同時に、映像音声再生部１２、再生音声切替部１７、および送信部２０を制御して、音声ミュートを解除し、再生音声信号の送信を再開する。
【０１８６】
表示コントローラ６０は、映像ミュートの開始と同時に、出力音声ミュート信号生成部５６、出力音声切替部５７、および音声出力部５９を制御して、再生音声出力信号の代わりに無音の出力音声ミュート信号を音声出力デバイス８に出力する音声ミュートを開始する。
【０１８７】
そして、表示コントローラ６０は、映像ミュートの解除と同時に、受信部５１、出力音声ミュート信号生成部５６、出力音声切替部５７、および音声出力部５９を制御して、音声ミュートを解除し、再生音声出力信号の出力を再開する。
【０１８８】
［効果］
以上説明した本実施の形態によれば、下記（１）〜（９）の効果が得られ得る。
（１）本実施の形態では、送信装置は、再生映像信号の種類の変化を検出した場合に、再生映像信号の代わりに、所定のミュート映像を表す再生映像ミュート信号を送信映像信号として送信する映像ミュートを行うとともに、受信装置に対して映像ミュートの開始指示を送る。また、送信装置は、所定のミュート映像を表す表示映像ミュート信号を生成するための映像ミュート情報を受信装置に提供する。受信装置は、送信装置からの映像ミュートの開始指示に応じて、送信映像信号の代わりに、送信装置からの映像ミュート情報に基づいて生成される表示映像ミュート信号を出力する映像ミュートを開始する。このため、本実施の形態によれば、受信装置側のミュート映像の内容を送信装置側で制御することができる。例えば、送信側の映像ミュートと受信側の映像ミュートとで共通のミュート映像を用いることが可能となり、良好な映像ミュートを実現することが可能となる。具体的には、送信装置が出力するミュート映像と、受信装置が出力するミュート映像との間に関連性がない場合、再生映像信号の種類の変化の前後の区間で、それぞれのミュート映像が短時間でパラパラと切り替わるため、利用者に違和感を与え、利用者に対する品位が損なわれる。本実施の形態によれば、再生映像信号の種類の切り替え時に、表示されるミュート映像が短時間でいくつも切り替わることなく、利用者にとって違和感の少ない、連続したミュート映像を表示することができる。例えば、送信側と受信側の映像ミュート色の違いによりミュート映像が数回切り替わることを防止でき、再生映像信号の種類の変化にともなう映像ミュートの品位を向上させることができる。
【０１８９】
（２）送信装置は、映像ミュートの開始指示を送る際に、受信装置に対し、映像ミュートの開始までの時間を示す開始時間情報を通知し、受信装置は、通知された開始時間情報に基づき映像ミュートを開始する。これにより、受信装置側の映像ミュートの開始の期間を、送信装置側で制御することができる。また、受信装置は、映像ミュート開始までの猶予期間を認識することができる。これにより、例えば、受信装置は、通知された時間が短ければ映像ミュート開始処理を優先し、通知された時間が長ければ、時間的制約が厳しい他の処理が存在する場合には当該他の処理を優先させるなどのスケジューリングを行うことが可能となる。
【０１９０】
（３）送信装置は、受信装置に対して映像ミュートの解除指示を送り、受信装置は、送信装置からの映像ミュートの解除指示に応じて映像ミュートを解除する。これにより、受信装置側の映像ミュートの解除のタイミングを、送信装置側で制御することができる。また、受信装置は、映像ミュートの解除のタイミングを認識することができる。
【０１９１】
（４）送信装置は、映像ミュートの解除指示を送る際に、受信装置に対し、映像ミュートの解除までの時間を示す解除時間情報を通知し、受信装置は、通知された解除時間情報に基づき映像ミュートを解除する。これにより、受信装置側の映像ミュートの解除の期間を、送信装置側で制御することができる。また、受信装置は、映像ミュート解除までの猶予期間を認識することができる。これにより、例えば、受信装置は、通知された時間が短ければ映像ミュート解除処理を優先し、通知された時間が長ければ、時間的制約が厳しい他の処理が存在する場合には当該他の処理を優先させるなどのスケジューリングを行うことが可能となる。
【０１９２】
（５）送信装置は、映像ミュートを開始してから所定期間経過後に、再生映像ミュート信号の種類を変化前の種類から変化後の種類に切り替え、当該切り替えから所定期間経過後に、映像ミュートを解除する。これにより、映像ミュート中に、映像信号の種類を切り替えることができる。
【０１９３】
（６）受信装置は、送信装置における映像信号の種類の切り替えの前に、映像ミュートを開始する。これにより、映像信号の種類の切り替えによる表示映像の乱れを防止することが可能となる。例えば、乱れのない継続したミュート映像を表示することが可能となる。
【０１９４】
（７）受信装置は、送信装置における映像信号の種類の切り替えの後、送信装置における映像ミュートの解除の前に、映像ミュートを解除する。これにより、変化後の種類の再生映像信号の頭が表示されないこと（頭欠け）を防止することができる。
【０１９５】
（８）送信装置は、変化後の種類の再生映像信号が暗号化を必要とする場合、映像ミュート中に、送信映像信号の暗号化通信を開始した後、暗号化通信が安定したか否かを判定し、暗号化通信が安定したと判定された場合に、受信装置に対して映像ミュートの解除指示を送る。これにより、不安定な暗号化通信による表示映像の乱れを防止することが可能となる。
【０１９６】
（９）送信装置は、上記暗号化通信を開始した後、受信装置の識別情報と暗号安定待ち時間とが対応付けられた対応情報に基づき、当該送信装置に接続された受信装置の識別情報に対応する暗号安定待ち時間だけ待った後に、暗号化通信が安定したか否かを判定する。そして、当該判定の結果に基づき上記対応情報を更新する。これにより、接続された受信装置に応じて暗号安定待ち時間を更新でき、安定したミュート映像を表示しつつ、変化後の種類の再生映像信号の表示までの時間を短縮できる。
【０１９７】
以上説明した実施の形態において、送信装置および受信装置の機能は、電子回路などのハードウェア資源のみにより実現されてもよいし、ハードウェア資源とソフトウェアとの協働により実現されてもよい。ハードウェア資源とソフトウェアとの協働により実現される場合、送信装置および受信装置の機能は、例えばコンピュータプログラムがコンピュータにより実行されることによって実現される。より具体的には、ＲＯＭ（Ｒｅａｄ  Ｏｎｌｙ  Ｍｅｍｏｒｙ）等の記録媒体に記録されたコンピュータプログラムが主記憶装置に読み出されて中央処理装置（ＣＰＵ：Ｃｅｎｔｒａｌ  Ｐｒｏｃｅｓｓｉｎｇ  Ｕｎｉｔ）により実行されることによって実現される。コンピュータプログラムは、光ディスク等のコンピュータ読み取り可能な記録媒体に記録されて提供されてもよいし、インターネット等の通信回線を介して提供されてもよい。
【０１９８】
なお、本発明は、上記実施の形態に限定されるものではなく、本発明の要旨を逸脱しない範囲内において種々の態様で実施することができる。
【０１９９】
例えば、映像ミュート情報、映像ミュートの開始指示、開始時間情報、映像ミュートの解除指示、解除時間情報などの各種情報の送信タイミング等の態様は、適宜変更されてもよい。例えば、上記実施の形態では、映像ミュート情報と、映像ミュートの開始指示および開始時間情報とを別々のパケットで送信したが、これらの情報を１つのパケットに纏めて送信してもよい。また、開始時間情報、映像ミュートの解除指示、解除時間情報などは、適宜省略されることも可能である。例えば、送信装置において、種類の変化の検出を基準として各動作のタイミングが予め固定的に決められており、受信装置において、映像ミュートの開始指示を基準として各動作のタイミングが予め固定的に決められているような場合には、開始時間情報、映像ミュートの解除指示、および解除時間情報は省略されてもよい。
【符号の説明】
【０２００】
１  送信装置、  ３  伝送経路（ＨＤＭＩケーブル）、  ５  受信装置、  １１  ドライブ、  １２  映像音声再生部、  １３  検出部、  １４  再生映像ミュート信号生成部、  １５  再生映像切替部、  １６  再生音声ミュート信号生成部、  １７  再生音声切替部、  １８  映像ミュート色情報設定部、  １９  映像ミュート期間設定部、  ２０  送信部、  ２１  暗号安定待ち時間記憶部、  ２２  再生コントローラ、  ５１  受信部、  ５２  映像ミュート期間検出部、  ５３  映像ミュート色情報検出部、  ５４  表示映像ミュート信号生成部、  ５５  表示映像切替部、  ５６  出力音声ミュート信号生成部、  ５７  出力音声切替部、  ５８  映像表示部、  ５９  音声出力部、  ６０  表示コントローラ、  ２２１  映像ミュート部、  ２２２  映像ミュート指示部、  ２２３  映像ミュート情報提供部、  ２２４  識別情報取得部、  ２２５  暗号化通信制御部、  ６０１  映像ミュート情報取得部、  ６０２  映像ミュート部。
【図１】
2013081062.tif 000003
【図２】
2013081062.tif 000004
【図３】
2013081062.tif 000005
【図４】
2013081062.tif 000006
【図５】
2013081062.tif 000007
【図６】
2013081062.tif 000008
【図７】
2013081062.tif 000009
【図８】
2013081062.tif 000010
【図９】
2013081062.tif 000011
【図１０】
2013081062.tif 000012
【図１１】
2013081062.tif 000013
【図１２】
2013081062.tif 000014
【図１３】
2013081062.tif 000015
【図１４】
2013081062.tif 000016
【図１５】
2013081062.tif 000017
【図１６】
2013081062.tif 000018
【図１７】
2013081062.tif 000019
【図１８】
2013081062.tif 000020
【図１９】
2013081062.tif 000021
【図２０】
2013081062.tif 000022
【図２１】
2013081062.tif 000023
【図２２】
2013081062.tif 000024